(57)【要約】【課題】機械的信頼性を高めたレンズ駆動装置を実現する。【解決手段】本発明のレンズ駆動装置（１）は、レンズホルダ（２）と、ケース（３）と、板バネ（５）とを備える。ケース（４）と板バネ（５）とは、板バネ貫通孔（５１）に充填された接続部材（６）によって接続されており、板バネ貫通孔（５１）の内面に、当該内面の一部が孔内に延出した延在部（５２）が形成されている。【選択図】図１
2015049333.tif 000002
【特許請求の範囲】
【請求項１】
レンズを含む光学部を保持するホルダと、
前記ホルダを囲う導電性のケースと、
前記ケースに対して移動可能に前記ホルダを支持する導電性の弾性部材とを備え、
前記弾性部材の厚み方向に貫通した第１貫通孔に充填された導電部材によって、前記ケースと前記弾性部材とが接続されたレンズ駆動装置において、
前記第１貫通孔の内面に、当該内面の一部が孔内に延出した第１延在部が形成されていることを特徴とするレンズ駆動装置。
【請求項２】
前記ケースと前記弾性部材との間にスペーサが介設されており、
前記スペーサに、当該スペーサの厚み方向に貫通した、前記第１貫通孔と連通する第２貫通孔が形成されており、
前記導電部材が前記第２貫通孔にさらに充填されたことにより、前記ケースと前記弾性部材とが前記スペーサを介して接続されていることを特徴とする請求項１に記載のレンズ駆動装置。
【請求項３】
前記第２貫通孔の内面に、当該内面の一部が孔内に延出した第２延在部が形成されていることを特徴とする請求項２に記載のレンズ駆動装置。
【請求項４】
前記弾性部材の厚み方向と垂直な方向から見たとき、前記弾性部材の厚み方向における前記第１延在部の端面のうち少なくとも一方は、前記第１貫通孔の縁部よりも内側に位置していることを特徴とする請求項１から３までのいずれか一項に記載のレンズ駆動装置。
【請求項５】
請求項１から４までのいずれか一項に記載のレンズ駆動装置と、
前記光学部と、
前記光学部によって形成された被写体像を電気信号に変換する光電変換素子が実装された基板とを備えることを特徴とするカメラモジュール。
【発明の詳細な説明】
【技術分野】
【０００１】
本発明は、携帯電話等の電子機器に搭載されるカメラモジュールのレンズ駆動装置に関する。
【背景技術】
【０００２】
近年の携帯電話においては、携帯電話の内部にカメラモジュールを組み込んだ機種が大半を占めるようになってきている。これらのカメラモジュールは、携帯電話の内部に収納しなければならないため、デジタルカメラ等と比べて小型化および軽量化に対する要求が大きい。
【０００３】
また、レンズ駆動装置によってオートフォーカス（ＡＦ）機能を有するタイプのカメラモジュールが携帯電話等の電子機器に搭載される例も増加してきている。レンズ駆動装置には、ステッピングモータを利用するタイプ、圧電素子を利用するタイプ、またはＶＣＭ（Voice Coil Motor：ボイスコイルモータ）を利用するタイプ等、様々なタイプが存在している。さらには、手振れ補正機能を有するタイプのカメラモジュールが携帯電話等の電子機器に搭載されており、すでに市場に流通している。
【０００４】
図８は、従来のレンズ駆動装置の構成を模式的に示した断面図である。図８に示すように、レンズ駆動装置１０１は、レンズを保持するレンズホルダ１０２および当該レンズホルダ１０２に固定された駆動用のコイル１０３を含む可動部と、金属で成型されたケース１０４を含む固定部とを有している。レンズホルダ１０２とケース１０４とは、環状の金属板から成る板バネ１０５を介して接続されている。具体的には、板バネ１０５の外環側にケース１０４の外面が接続され、板バネ１０５の内環側にレンズホルダ１０２が固定されることによって、ケース１０４に対してレンズホルダ１０２が移動可能に支持されている。また、コイル１０３の端線１３１は板バネ１０５に接続されており、これにより、コイル１０３と板バネ１０５とが電気的に接続されている。
【０００５】
ケース１０４と板バネ１０５とは、例えば溶接によって接続される。または、ケース１０４と板バネ１０５とは、図８に示すように、板バネ１０５に貫通孔１５１を形成し、この貫通孔１５１に充填された導電材料から成る接続部材１０６によって接続される。導電材料としては半田または導電ペースト等が主に使用され、接続部材１０６が板バネ１０５に形成された貫通孔１５１の内面およびケース１０４の外面に融着することによって、ケース１０４と板バネ１０５とが接続される。
【０００６】
図９は、従来のレンズ駆動装置の別の構成を模式的に示した断面図である。図９に示すように、レンズ駆動装置２０１では、スペーサ１０８を介してケース１０４と板バネ１０５とが接続されている。
【０００７】
ケース１０４とスペーサ１０８、並びに、スペーサ１０８と板バネ１０５とは、例えば接着剤によって接続される。または、ケース１０４、スペーサ１０８および板バネ１０５は溶接によって接続される。若しくは、ケース１０４、スペーサ１０８および板バネ１０５は、図９に示すように、板バネ１０５およびスペーサ１０８を貫通する貫通孔２５１に充填された導電材料から成る接続部材１０６によって接続される。
【０００８】
これらのカメラモジュールのレンズ駆動装置に関する技術として、例えば特許文献１および２が開示されている。
【先行技術文献】
【特許文献】
【０００９】
【特許文献１】特開２００８−５８７３２号公報（２００８年０３月１３日公開）
【特許文献２】特開２０１０−８９４７号公報（２０１０年０１月１４日公開）
【発明の概要】
【発明が解決しようとする課題】
【００１０】
しかしながら、特許文献１および２に開示されたレンズ駆動装置には、次に述べるような問題点がある。
【００１１】
すなわち、レンズ駆動装置において、溶接によってケースと板バネとを接続した場合、板バネとケースとの溶接部分が溶融して変形するため凸状部となって突出する。可動部であるレンズホルダが駆動すると、当該レンズホルダに固定されたコイルがケースに接近するが、このとき、ケースと板バネとの溶接部分の凸状部にコイルが接触しコイルの被覆層が破壊されることで、レンズ駆動装置が電気的にショートするといった問題を生ずる。特に、特許文献２に記載されたレンズ駆動装置では、ケースと板バネとの間にスペーサが介設されており、ケース、スペーサおよび板バネの３層の部品が溶接されるために、より多量のエネルギーを必要とし、また、溶接による材料の溶融も広範囲に及ぶ。そのため、溶接部分の凸状部のサイズも大きくなり、当該凸状部に起因するレンズ駆動装置の電気的なショートが生じる可能性が高まる。
【００１２】
一方、貫通孔に充填された半田から成る接続部材によってケースと板バネとを接続した場合、半田が多量な場合は、板バネ上の半田高が高くなり、機器の小型化に不利となる。また、半田が少量な場合は、貫通孔の内面の一部のみに半田が供給されるため、ケースと板バネとの十分な接続強度を得られないといった問題を生ずる。
【００１３】
本発明は上記問題点に鑑みてなされたものであって、その目的は、ケースと弾性部材との安定した接続強度を得ることにより、信頼性の高いレンズ駆動装置およびカメラモジュールを提供することにある。
【課題を解決するための手段】
【００１４】
上記の課題を解決するために、本発明の一態様に係るレンズ駆動装置は、レンズを含む光学部を保持するホルダと、前記ホルダを囲う導電性のケースと、前記ケースに対して移動可能に前記ホルダを支持する導電性の弾性部材とを備え、前記弾性部材の厚み方向に貫通した第１貫通孔に充填された導電部材によって、前記ケースと前記弾性部材とが接続されたレンズ駆動装置において、前記第１貫通孔の内面に、当該内面の一部が孔内に延出した第１延在部が形成されていることを特徴とする。
【発明の効果】
【００１５】
本発明の一態様によれば、第１貫通孔の内面に第１延在部が形成されているため、第１貫通孔の内面と導電部材との接続面積が増大し、その結果、ケースと弾性部材との安定した接続強度を得ることができるので、信頼性の高いレンズ駆動装置およびカメラモジュールを提供することができるという効果を奏する。
【図面の簡単な説明】
【００１６】
【図１】図１は本発明の実施形態１に係るレンズ駆動装置の構成を模式的に示す断面図である。
【図２】図２の（ａ）〜図２の（ｃ）は図１に示されるケースと板バネとの接続構造を示す模式図であり、図２の（ａ）は接続部分の上面図であり、図２の（ｂ）はＡ−Ａ’断面図であり、図２の（ｃ）はＢ−Ｂ’断面図である。
【図３】図３は本発明の実施形態２に係るレンズ駆動装置の構成を模式的に示す断面図である。
【図４】図４の（ａ）〜図４の（ｃ）は図３に示されるスペーサを介したケースと板バネとの接続構造を示す模式図であり、図４の（ａ）は接続部分の上面図であり、図４の（ｂ）はＣ−Ｃ’断面図であり、図４の（ｃ）はＤ−Ｄ’断面図である。
【図５】図５の（ａ）〜図５の（ｃ）は図４に示されるスペーサを介したケースと板バネとの接続構造の変形例を示す模式図であり、図５の（ａ）は接続部分の上面図であり、図５の（ｂ）はＥ−Ｅ’断面図であり、図５の（ｃ）はＦ−Ｆ’断面図である。
【図６】図６の（ａ）〜図６の（ｃ）は図４に示されるスペーサを介したケースと板バネとの接続構造の別の変形例を示す模式図であり、図６の（ａ）は接続部分の上面図であり、図６の（ｂ）はＧ−Ｇ’断面図であり、図６の（ｃ）はＨ−Ｈ’断面図である。
【図７】図７は、本発明の実施形態３に係るカメラモジュールの要部構成を模式的に示す断面図である。
【図８】図８は従来のレンズ駆動装置の構成を示す断面図である。
【図９】図９は従来のレンズ駆動装置の別の構成を示す断面図である。
【発明を実施するための形態】
【００１７】
〔実施形態１〕
本発明の実施形態について、図１および２に基づいて説明すれば、以下のとおりである。
【００１８】
［レンズ駆動装置１の構成］
まず、図１を参照して、レンズ駆動装置１の構成について説明する。
【００１９】
図１は、本実施形態に係るレンズ駆動装置１の構成を模式的に示す断面図である。図１に示すように、レンズ駆動装置１は、レンズホルダ（ホルダ）２および当該レンズホルダ２に固定された駆動用のコイル３を含む可動部と、ケース４を含む固定部とを備えている。レンズホルダ２とケース４とは、板バネ（弾性部材）５によって接続されている。
【００２０】
（レンズホルダ２）
レンズホルダ２は、レンズを含む光学部を保持するものである。レンズホルダ２は内部が中空の円筒部材であり、光学部を円筒内に保持する。レンズホルダ２の円筒上端部は板バネ５に固定されており、レンズホルダ２の円筒下端部は図示しない板バネ等の弾性部材に固定されている。これらの弾性部材によって、レンズホルダ２がレンズの光軸方向に移動可能に支持されている。このレンズホルダ２の外周には、レンズホルダ２をレンズの光軸方向に移動させるための駆動用のコイル３が固定されている。
【００２１】
（コイル３）
コイル３は、レンズホルダ２の外周に巻き付けらており、このコイル３に電流を供給することによってレンズホルダ２をレンズの光軸方向へ移動させることができる。コイル３の一端から伸びる端線３１は板バネ５に接続されており、この端線３１によってコイル３と板バネ５とが電気的に接続されている。
【００２２】
（ケース４）
ケース４は、レンズホルダ２を囲うカバーであり、金属等が成型されたものである。ケース４の天板には、レンズホルダ２を挿入可能な開口部が形成されており、この開口部内にレンズホルダ２が配置されている。
【００２３】
ケース４の内部には、レンズホルダ２の外周に沿って、磁界を発生するマグネット等の付随部品（図示省略）が配置されている。本実施形態では、ケース４はマグネットの磁気効率を高めるヨークとして機能するものであり、コイル３に流れる電流により発生する磁界と、マグネットおよびケース４により発生する磁界との相互作用によって、レンズの光軸方向にレンズホルダ２を移動させることができる。
【００２４】
（板バネ５）
板バネ５は、レンズホルダ２をケース４に対して相対的に移動可能なように、レンズホルダ２とケース４とを接続するものである。板バネ５は、レンズホルダ２の円筒上端部に対応する開口部が形成された金属等から成る環状の板状部材である。板バネ５は、ケース４の天板に接続されると共に、開口部の外縁に沿ってレンズホルダ２の円筒上端部が固定されている。板バネ５がレンズの光軸方向に撓むことによって、レンズホルダ２をケース４に対して相対的に移動させることができる。
【００２５】
この板バネ５には、板バネ５の厚み方向に貫通した板バネ貫通孔（第１貫通孔）５１が複数形成されている。板バネ貫通孔５１には、導電材料から成る接続部材（導電部材）６が充填されており、この接続部材６によってケース４と板バネ５とが接続されている。また、板バネ貫通孔５１の内面には、当該内面の一部が孔内に延出した延在部（第１延在部）５２が形成されており、板バネ貫通孔５１の内面と接続部材６との接続面積を増大させることによって、ケース４と板バネ５との接続強度を高めている。なお、ケース４と板バネ５との接続構造の詳細については後述する。
【００２６】
（接続部材６）
接続部材６は、ケース４と板バネ５とを接続するものである。接続部材６は、板バネ５に形成された板バネ貫通孔５１に充填された導電材料から成る。この接続部材６が板バネ貫通孔５１の内面およびケース１０４の天板に融着することによって、ケース４と板バネ５とが接続されている。
【００２７】
接続部材６としては、半田ペースト、半田ボール、半田ペレット若しくはＡｇペースト等が挙げられる。また、必要に応じて、導電材料にフラックスを導電材料に添加してもよい。なお、導電材料として半田を用いる場合、半田を板バネ貫通孔５１に充填する半田付けの手法としては、半田ゴテを用いて半田に熱を与えて溶融させてもよく、レーザ照射により半田に熱を与えて溶融させてもよい。また、その際、ケース４と板バネ５とを予め接着剤等で固定しておいてもよい。
【００２８】
［ケース４と板バネ５との接続構造］
次に、図２を参照して、ケース４と板バネ５との接続構造について説明する。
【００２９】
図２の（ａ）〜図２の（ｃ）は図１に示されるケース４と板バネ５との接続構造を示す模式図であり、図２の（ａ）は接続部分を示す上面図であり、図２の（ｂ）はＡ−Ａ’断面図であり、図２の（ｃ）はＢ−Ｂ’断面図である。
【００３０】
図２の（ａ）〜図２の（ｃ）に示すように、板バネ貫通孔５１の内面には、当該内面の一部が孔内に延出した延在部５２が形成されている。延在部５２は、板バネ貫通孔５１の半径方向に延出すると共に、板バネ貫通孔５１の軸線方向に沿って、板バネ貫通孔５１の全長にわたって形成されている。このような延在部５２を形成することによって、板バネ貫通孔５１の内面と接続部材６との接続面積が増大するため、ケース４と板バネ５との接続強度を向上させることができる。
【００３１】
従来では、このような延在部５２が形成されていないため、板バネ５と接続部材６との接続面積が小さく、ケース４と板バネ５との接続強度が十分ではなかった。そのため、ケース４と板バネ５との接続が切断し、レンズ駆動装置の電気的な動作不良の原因となる可能性があった。
【００３２】
そこで、レンズ駆動装置１では、板バネ貫通孔５１の内面に延在部５２を形成することによって、ケース４と板バネ５との接続強度を向上させている。これにより、ケース４と板バネ５との接続が切断することを抑制して、レンズ駆動装置１の機械的信頼性を高めることができる。
【００３３】
延在部５２の形状は、接続部材６との接続面積を増大させることができるのであれば特に限定されない。例えば、延在部５２は、本実施形態のように板バネ貫通孔５１の軸線方向に沿って連なった隆起状に延出した形状（半島形状）ものあってもよく、または、板バネ貫通孔５１の内面の一部が凸状に延出した形状であってもよい。若しくは、延在部５２は、板バネ貫通孔５１の内面の２点を結ぶブリッジ状、または、板バネ貫通孔５１の内面の複数点を結ぶ分岐ブリッジ状、或いは網目状に延出した形状であってもよい。
【００３４】
また、板バネ貫通孔５１の内面に形成される延在部５２の数は１つに限られず、複数形成されていてもよい。これにより、延在部５２と接続部材６との接続面積をさらに増大させることができる。
【００３５】
なお、レンズ駆動装置１では、板バネ５は、ケース４の天板の外側に接続されているが、ケース４の天板の内側に接続されていてもよい。
【００３６】
また、接続部材６によって、延在部５２の一部または全部を覆っていてもよく、板バネ貫通孔５１の開口部周辺のおける板バネ５の表面の一部を覆っていてもよい。接続部材６によって延在部５２の全部を覆うことにより、板バネ貫通孔５１の内面と接続部材６との接続面積をさらに増大させることができるため、ケース４と板バネ５との接続強度をさらに向上させることができる。
【００３７】
［レンズ駆動装置１の効果］
以上のように、本実施形態に係るレンズ駆動装置１は、レンズを含む光学部を保持するレンズホルダ２と、レンズホルダ２を囲う導電性のケース４と、ケース４に接続されると共に、当該ケース４に対して移動可能にレンズホルダ２を支持する導電性の板バネ５とを備え、板バネ５の厚み方向に貫通した板バネ貫通孔５１に充填された導電材料から成る接続部材６によって、ケース４と板バネ５とが接続されたレンズ駆動装置１であって、板バネ貫通孔５１の内面に、当該内面の一部が孔内に延出した延在部５２が形成されている。
【００３８】
レンズ駆動装置１では、板バネ貫通孔５１に充填された導電材料から成る接続部材６によって、ケース４と板バネ５とが接続されており、ケース４と板バネ５とが接続部材６によって物理的、且つ、電気的に接続された構成である。
【００３９】
ここで、レンズ駆動装置１では、板バネ貫通孔５１の内面に、当該内面の一部が孔内に延出した延在部５２が形成されている。そのため、板バネ貫通孔５１の内面と接続部材６との接続面積が増大するので、接続部材６によるケース４と板バネ５との接続強度を向上させることができる。
【００４０】
したがって、本実施形態によれば、ケース４と板バネ５との安定した接続強度が得られるため、機械的信頼性の高いレンズ駆動装置１を実現することができる。
【００４１】
なお、本実施形態では、レンズ駆動装置１が、レンズの光軸方向に可動部を移動させる構成（オートフォーカス機能）について説明したが、本発明はこの構成に限定されない。レンズ駆動装置１は、さらに、レンズの光軸と垂直な方向に可動部を移動させる構成またはレンズの光軸をチルトさせる構成（手振れ補正機能）であってもよい。
【００４２】
〔実施形態２〕
本発明の他の実施形態について、図３〜６に基づいて説明すれば、以下のとおりである。なお、説明の便宜上、前記実施形態にて説明した部材と同じ機能を有する部材については、同じ符号を付記し、その説明を省略する。
【００４３】
本実施形態に係るレンズ駆動装置１１は、ケース４と板バネ５との間にスペーサ８が介設されている点において、上述したレンズ駆動装置１と主に異なっている。
【００４４】
［レンズ駆動装置１１の構成］
まず、図３を参照して、レンズ駆動装置１１の構成について説明する。
【００４５】
図３は、本実施形態に係るレンズ駆動装置１１の構成を模式的に示す断面図である。図３に示すように、レンズ駆動装置１１では、ケース４と板バネ５との間に、スペーサ８が介設されており、このスペーサ８を介してケース４と板バネ５とが接続されている。
【００４６】
（スペーサ８）
スペーサ８は、ケース４と板バネ５との間に介設され、ケース４に対する板バネ５の取り付け高さを調整するものである。ケース４と板バネ５との間にスペーサ８を介設することによって、板バネ５にかかる予圧を調整することができる。また、レンズホルダ２とケース４と間に位置する、板バネ５の連接部５３は、ケース４と接触しないことが望しい。そのため、ケース４と板バネ５との間にスペーサ８を介設することによって、板バネ５の連接部５３がケース４と接触しないように、ケース４と連接部５３との間に十分な隙間を確保することができる。
【００４７】
このスペーサ８には、板バネ５の板バネ貫通孔５１と連通するスペーサ貫通孔（第２貫通孔）８１が形成されている。板バネ貫通孔５１およびスペーサ貫通孔８１には接続部材６が充填されており、この接続部材６によって、ケース４、スペーサ８および板バネ５が接続されている。
【００４８】
［スペーサ８を介したケース４と板バネ５との接続構造］
次に、図４を参照して、スペーサ８を介したケース４と板バネ５との接続構造について説明する。
【００４９】
図４の（ａ）〜図４の（ｃ）は図３に示されるスペーサ８を介したケース４と板バネ５との接続構造を示す模式図であり、図４の（ａ）は接続部分の上面図であり、図４の（ｂ）はＣ−Ｃ’断面図であり、図４の（ｃ）はＤ−Ｄ’断面図である。
【００５０】
図４の（ａ）〜図４の（ｃ）に示すように、スペーサ８には、板バネ貫通孔５１と連通するスペーサ貫通孔８１が形成されている。スペーサ貫通孔８１は板バネ貫通孔５１と略同一の内径を有しており、板バネ貫通孔５１の軸線とスペーサ貫通孔８１の軸線とが一致するように、板バネ５とスペーサ８とが位置決めされている。接続部材６は、板バネ貫通孔５１およびスペーサ貫通孔８１に充填されており、板バネ貫通孔５１の内面、スペーサ貫通孔８１の内面およびケース１０４の天板に融着することによって、ケース４、スペーサ８および板バネ５が接続されている。
【００５１】
板バネ貫通孔５１の内面には、当該内面の一部が孔内に延出した延在部５２が形成されている。延在部５２は、板バネ貫通孔５１の半径方向に延出すると共に、板バネ貫通孔５１の軸線方向に沿って、板バネ貫通孔５１の全長にわたって形成されている。延在部５２を形成することによって、板バネ貫通孔５１の内面と接続部材６との接続面積が増大するため、スペーサ８を介したケース４と板バネ５との接続強度を向上させることができる。これにより、ケース４と板バネ５との接続が切断することを抑制して、レンズ駆動装置１の機械的信頼性を高めることができる。
【００５２】
［レンズ駆動装置１１の効果］
以上のように、本実施形態に係るレンズ駆動装置１１は、ケース４と板バネ５との間にスペーサ８が介設されており、スペーサ８に、当該スペーサ８の厚み方向に貫通した、板バネ貫通孔５１と連通するスペーサ貫通孔８１が形成されており、接続部材６がスペーサ貫通孔８１にさらに充填されていることにより、ケース４と板バネ５とがスペーサ８を介して接続されていている。
【００５３】
レンズ駆動装置１１では、板バネ５に形成された板バネ貫通孔５１とスペーサ８に形成されたスペーサ貫通孔８１とが連通しており、板バネ貫通孔５１およびスペーサ貫通孔８１にわたって充填された接続部材６によって、ケース４と板バネ５とがスペーサ８を介して接続されていている。このようにスペーサ８をケース４と板バネ５との間に介設した場合であっても、板バネ貫通孔５１の内面に、当該内面の一部が孔内に延出した延在部５２が形成されているため、ケース４と板バネ５との接続強度を向上させることができる。
【００５４】
したがって、本実施形態によれば、スペーサ８を介して接続されたケース４と板バネ５との安定した接続強度が得られるため、機械的信頼性の高いレンズ駆動装置１１を実現することができる。
【００５５】
また、ケース４と板バネ５との間にスペーサ８を介設することにより、ケース４に対する板バネ５の取り付け高さを調整することが可能となるため、板バネ５にかかる予圧を調整することができる。
【００５６】
［接続構造の変形例］
次に、図５および６を参照して、スペーサ８を介したケース４と板バネ５との接続構造の変形例について、説明する。
【００５７】
（変形例１）
図５の（ａ）〜図５の（ｃ）は図４に示されるスペーサ８を介したケース４と板バネ５との接続構造の変形例を示す断面図であり、図５の（ａ）は接続部分の上面図であり、図５の（ｂ）はＥ−Ｅ’断面図であり、図５の（ｃ）はＦ−Ｆ’断面図である。
【００５８】
図５の（ａ）〜図５の（ｃ）に示すように、板バネ５の厚み方向（すなわち、板バネ貫通孔５１の軸線方向）と垂直な方向から見たとき、板バネ５の厚み方向における延在部５２の２つの端面のうち少なくとも一方は、板バネ貫通孔５１の縁部よりも内側に位置していてもよい。図５の（ａ）〜図５の（ｃ）では、延在部５２の２つの端面のうち、ケース４と反対側にある端面が板バネ貫通孔５１の縁部よりも内側に位置している構成を示している。
【００５９】
これにより、板バネ貫通孔５１に充填された接続部材６によって、ケース４と反対側にある延在部５２の端面を覆うことができるため、延在部５２と接続部材６との接続面積を増大させることができる。
【００６０】
このように、接続部材６によって延在部５２の全部を覆うことにより、板バネ貫通孔５１の内面と接続部材６との接続面積をさらに増大させることができるため、ケース４と板バネ５との接続強度をより向上させることができる。
【００６１】
したがって、本変形例によれば、接続部材６によるケース４、スペーサ８および板バネ５の接続強度をより向上させることができる。
【００６２】
なお、延在部５２の端面は、板バネ貫通孔５１が形成された板バネ５の表面に対して略平行である必要はない。例えば、延在部５２がケース４側に屈曲した形状、または、延在部５２の端面が板バネ５の表面に対してオフセットされた形状等であってもよい。このような延在部５２は、プレス加工による圧延加工、プレス加工による曲げ加工、またはフォトリソグラフィ技術を用いたエッチング加工等により形成することができる。
【００６３】
（変形例２）
図６の（ａ）〜図６の（ｃ）は図４に示されるスペーサ８を介したケース４と板バネ５との接続構造の別の変形例を示す断面図であり、図６の（ａ）は接続部分の上面図であり、図６の（ｂ）はＧ−Ｇ’断面図であり、図６の（ｃ）はＨ−Ｈ’断面図である。
【００６４】
図６の（ａ）〜図６の（ｃ）に示すように、スペーサ貫通孔８１の内面に、当該内面の一部が孔内に延出した延在部（第２延在部）８２が形成されていてもよい。
【００６５】
延在部８２は、スペーサ貫通孔８１の半径方向に延出すると共に、スペーサ貫通孔８１の軸線方向に沿って、スペーサ貫通孔８１の全長にわたって形成されている。また、延在部８２は、板バネ貫通孔５１の延在部５２に対して１８０°ズレた位置に形成されている。
【００６６】
スペーサ貫通孔８１の内面に延在部８２を形成することによって、スペーサ貫通孔８１の内面と接続部材６との接続面積をさらに増大させることができる。
【００６７】
したがって、本変形例によれば、接続部材６によるケース４、スペーサ８および板バネ５の接続強度をさらに向上させることができる。
【００６８】
なお、延在部８２の形状は、接続部材６との接続面積を増大させることができるのであれば特に限定されない。例えば、延在部８２は、スペーサ貫通孔８１の軸線方向に沿って連なった隆起状に延出した形状ものあってもよく、または、スペーサ貫通孔８１の内面が部分的に凸状に延出した形状（半島形状）であってもよい。若しくは、延在部８２は、スペーサ貫通孔８１の内面の２点を結ぶブリッジ状、または、スペーサ貫通孔８１の内面の複数点を結ぶ分岐ブリッジ状或いは網目状に延出した形状であってもよい。
【００６９】
また、スペーサ貫通孔８１の延在部８２は、板バネ貫通孔５１の延在部５２に対応する位置にある必要はなく、例えば、スペーサ貫通孔８１の延在部８２は、板バネ貫通孔５１の延在部５２に対してズレた位置に形成されていてもよい。
〔実施形態３〕
本発明のさらに他の実施形態について、図７に基づいて説明すれば、以下のとおりである。なお、説明の便宜上、前記実施形態にて説明した部材と同じ機能を有する部材については、同じ符号を付記し、その説明を省略する。
【００７０】
本実施形態では、上述したレンズ駆動装置１１を備えたカメラモジュール２１について説明する。
【００７１】
［カメラモジュール２１の構成］
図７は、本実施形態に係るカメラモジュール２１の要部構成を模式的に示す断面図である。図７に示すように、カメラモジュール２１は、レンズ１３を含む光学部１２と、光学部１２を保持するレンズ駆動装置１１と、光電変換素子１５が実装された基板１６とを備えている。
【００７２】
（光学部１２）
光学部１２は、被写体像を形成する撮像光学系である。光学部１２は、被写体像を光電変換素子１５へと導く、複数（図７では３枚）のレンズ１３と、レンズ１３を保持するレンズバレル１４とから構成されている。レンズバレル１４はレンズホルダ２に固定されており、レンズ１３の光軸はレンズホルダ２の軸線と一致している。
【００７３】
（光電変換素子１５）
光電変換素子１５は、レンズ１３によって形成された被写体像を電気信号に変換するものである。光電変換素子１５としては、例えば、ＣＣＤ（Charge Coupled Device）イメージセンサ、またはＣＭＯＳ（Complementary Metal Oxide Semiconductor）イメージセンサ等の固体撮像素子が挙げられる。
【００７４】
（基板１６）
基板１６は、光電変換素子１５からの電気信号を取り出すものである。基板１６は、光電変換素子１５と電気的に接続するために、図示しないパターニングされた配線を有しており、基板１６の中央部に光電変換素子１５が実装されている。基板１６と光電変換素子１５とは、ボンディングワイヤ等によって電気的に接続されており、互いに電気信号の送受が可能となっている。基板１６としては、例えば、プリント基板，またはセラミック基板等が挙げられる。
【００７５】
なお、カメラモジュール２１には、図示しないベース部材やセンサーカバー等がさらに配置されているが、ここでは説明を省略する。
【００７６】
［カメラモジュール２１の効果］
以上のように、本実施形態に係るカメラモジュール２１は、レンズ駆動装置１１と、光学部１２と、レンズ１３によって形成された被写体像を電気信号に変換する光電変換素子１５が実装された基板１６とを備える。
【００７７】
カメラモジュール２１では、板バネ貫通孔５１の内面に延在部５２が形成されているため、板バネ貫通孔５１の内面と接続部材６との接続面積が増大し、その結果、ケース４と板バネ５との接続強度を向上させることができる。
【００７８】
したがって、本実施形態によれば、ケース４と板バネ５との安定した接続強度が得られるため、機械的信頼性の高いカメラモジュール２１を実現することができる。
【００７９】
〔まとめ〕
本発明の態様１に係るレンズ駆動装置は、レンズを含む光学部を保持するホルダ（レンズホルダ２）と、前記ホルダを囲う導電性のケースと、前記ケースに対して移動可能に前記ホルダを支持する導電性の弾性部材（板バネ５）とを備え、前記弾性部材の厚み方向に貫通した第１貫通孔（板バネ貫通孔５１）に充填された導電部材（接続部材６）によって、前記ケースと前記弾性部材とが接続されたレンズ駆動装置において、前記第１貫通孔の内面に、当該内面の一部が孔内に延出した第１延在部（延在部５２）が形成されていることを特徴とする。
【００８０】
上記の構成では、弾性部材に形成された第１貫通孔に充填された導電部材によって、ケースと弾性部材とが接続されている。すなわち、ケースと弾性部材とが、導電部材によって物理的、且つ、電気的に接続されている。
【００８１】
ここで、上記の構成では、第１貫通孔の内面に、当該内面の一部が孔内に延出した第１延在部が形成されている。そのため、第１貫通孔の内面と導電部材との接続面積が増大するので、導電部材によるケースと弾性部材との接続強度を向上させることができる。
【００８２】
したがって、上記の構成によれば、ケースと弾性部材との安定した接続強度が得られるため、機械的信頼性の高いレンズ駆動装置を実現することができる。
【００８３】
本発明の態様２に係るレンズ駆動装置では、上記態様１において、前記ケースと前記弾性部材との間にスペーサが介設されており、前記スペーサに、当該スペーサの厚み方向に貫通した、前記第１貫通孔と連通する第２貫通孔（スペーサ貫通孔８１）が形成されており、前記導電部材が前記第２貫通孔にさらに充填されたことにより、前記ケースと前記弾性部材とが前記スペーサを介して接続されていてもよい。
【００８４】
上記の構成では、弾性部材に形成された第１貫通孔とスペーサに形成された第２貫通孔とが連通しており、第１貫通孔および第２貫通孔にわたって充填された導電部材によって、ケースと弾性部材とがスペーサを介して接続されている。このようにスペーサをケースと弾性部材との間に介設した場合であっても、第１貫通孔の内面に当該内面の一部が孔内に延出した第１延在部が形成されているため、ケースと弾性部材との接続強度を向上させることができる。
【００８５】
したがって、上記の構成によれば、スペーサを介して接続されたケースと弾性部材との安定した接続強度が得られるため、機械的信頼性の高いレンズ駆動装置を実現することができる。
【００８６】
また、上記発明によれば、ケースと弾性部材との間にスペーサを介設することにより、ケースに対する弾性部材の取り付け高さを調整することが可能となるため、弾性部材にかかる予圧を調整することができる。
【００８７】
本発明の態様３に係るレンズ駆動装置では、上記態様２において、前記第２貫通孔の内面に、当該内面の一部が孔内に延出した第２延在部（延在部８２）が形成されていてもよい。
【００８８】
上記の構成では、第２貫通孔の内面に、当該内面の一部が孔内に延出した第２延在部が形成されている。そのため、第２貫通孔の内面と導電部材との接続面積をより増大させることができる。
【００８９】
したがって、上記の構成によれば、導電部材によるケース、スペーサおよび弾性部材の接続強度をより向上させることができる。
【００９０】
本発明の態様４に係るレンズ駆動装置では、上記態様１〜３において、前記弾性部材の厚み方向と垂直な方向から見たとき、前記弾性部材の厚み方向における前記第１延在部の端面のうち少なくとも一方は、前記第１貫通孔の縁部よりも内側に位置していてもよい。
【００９１】
上記の構成によれば、弾性部材の厚み方向における第１延在部の端面のうち少なくとも一方が、第１貫通孔の縁部よりも内側に位置しているため、第１貫通孔に充填された導電部材によって第１延在部の上記端面を覆うことができる。そのため、第１延在部と導電部材との接続面積を増大させることができる。
【００９２】
したがって、上記の構成によれば、第１貫通孔の内面と導電部材との接続面積をさらに増大させることができるため、導電部材によるケースと弾性部材との接続強度をさらに向上させることができる。
【００９３】
本発明の態様５に係るカメラモジュールは、上記態様１〜４におけるレンズ駆動装置と、前記光学部と、前記光学部によって形成された被写体像を電気信号に変換する光電変換素子が実装された基板とを備えることを特徴とする。
【００９４】
上記の構成では、第１貫通孔の内面に第１延在部が形成されているため、第１貫通孔の内面と導電部材との接続面積が増大し、その結果、ケースと弾性部材との接続強度を向上させることができる。
【００９５】
したがって、上記の構成によれば、ケースと弾性部材との安定した接続強度が得られるため、機械的信頼性の高いカメラモジュールを実現することができる。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００９７】
〔補足〕
なお、本発明は以下のように表現することもできる。すなわち、本発明に係るレンズ駆動装置は、固定部が、金属で成型されたケースと、前記ケースに付随する付随部分を備え、可動部が、レンズを保持するホルダと、ホルダに固定されたコイルを備え、前記固定部と、前記可動部が弾性体で連接されており、前記コイルの一端が、前記弾性体と電気的に接続されており、前記弾性体と前記ケースとが電気的に接続されているレンズ駆動装置であって、前記弾性体に開口部があって、前記弾性体の前記開口部に、開口の内側から、開口の内壁に向かって、延在部があって、前記延在部と、前記ケースと、が導電材料によって、接続されていることを特徴としている。
【００９８】
また、本発明に係るレンズ駆動装置では、前記弾性体と、前記ケースとの間に、スペーサが設けられており、前記スペーサに開口部があって、前記弾性体の開口部に対応する位置に、前記スペーサの開口部が配置されており、前記弾性体と、前記ケースと、が導電材料によって、接続されていてもよい。
【００９９】
また、本発明に係るレンズ駆動装置では、前記弾性体と、前記弾性体の延在部は、前記ケース側の第１面と、他方の第２面があって、前記弾性体の上前記延在部の第２面が、前記弾性体の第２面よりも凹んでいてもよい。
【０１００】
また、本発明に係るレンズ駆動装置では、前記スペーサの前記開口部に、開口の内側から、開口の内壁に向かって、延在部があってもよい。
【０１０１】
また、本発明に係るカメラモジュールでは、前記レンズ駆動装置と、光電変換素子が設置された基板と、前記レンズ駆動装置に実装されて、前記光電変換素子に入射光を集光する為の集光手段と、を有することを特徴としている。
【産業上の利用可能性】
【０１０２】
本発明は、カメラモジュールの製造分野において利用可能であり、特に、携帯用端末等の通信機器を含む各種電気器に搭載されるカメラモジュールの製造分野において好適に利用可能である。
【符号の説明】
【０１０３】
１  レンズ駆動装置
２    レンズホルダ（ホルダ）
３    コイル
４    ケース
５    板バネ（弾性部材）
６    接続部材（導電部材）
８    スペーサ
１１    レンズ駆動装置
１２    光学部
１３    レンズ
１４    レンズバレル
１５    光電変換素子
１６    基板
２１    カメラモジュール
５１    板バネ貫通孔（第１貫通孔）
５２    延在部（第１延在部）
５３    連接部
８１    スペーサ貫通孔（第２貫通孔）
８２    延在部（第２延在部）
【図１】
2015049333.tif 000003
【図２】
2015049333.tif 000004
【図３】
2015049333.tif 000005
【図４】
2015049333.tif 000006
【図５】
2015049333.tif 000007
【図６】
2015049333.tif 000008
【図７】
2015049333.tif 000009
【図８】
2015049333.tif 000010
【図９】
2015049333.tif 000011